(57)【要約】【課題】  放送などのマルチメディアデータを受信して保存、交換、再生できるし、多様な外部機器との通信インターフェースを提供できるデジタルエンタテインメントシステムを提供することにある。【解決手段】  本発明によるデジタルエンタテインメントシステムでＡ／Ｖ信号処理部は外部放送信号を受信してチャンネルの選局と復調化過程を経たデジタルデータを出力して、ＤＯＣＳＩＳ／ＯＯＢ処理部はＤＯＣＳＩＳ標準とＯＯＢサービス提供による通信のためのインターフェースを提供する。ＭＰＥＧ処理部は入力されるデータを所定の方式によってデコーディングして標準映像信号を生成し、生成された前記標準映像信号を外部に出力する。Ａ／Ｖ信号処理部、ＤＯＣＳＩＳ処理部と、ＭＰＥＧ処理部は通信が出来るようにシステムバスに接続される。制御部もシステムバスに通信が出来るように接続されて、Ａ／Ｖ信号処理部とＭＰＥＧ処理部の動作を制御して、ＤＯＣＳＩＳ／ＯＯＢ処理部を通じて通信を実行する【選択図】  図２
2005057727.tif 000002
【特許請求の範囲】
【請求項１】
外部放送信号を受信してチャンネルの選局と復調化過程を経たデジタルデータを出力するＡ／Ｖ信号処理部と、
ＤＯＣＳＩＳ標準とＯＯＢサービス提供による通信インターフェースを提供するＤＯＣＳＩＳ／ＯＯＢ処理部と、
入力されるデータを所定の方式によってデコーディングして標準映像信号を生成し、生成された前記標準映像信号を外部に出力するＭＰＥＧ処理部と、
前記Ａ／Ｖ信号処理部、前記  ＤＯＣＳＩＳ処理部と、前記ＭＰＥＧ処理部とを通信できるように接続するシステムバスと、
前記システムバスに通信可能に接続され、前記Ａ／Ｖ信号処理部と前記ＭＰＥＧ処理部の動作を制御し、前記ＤＯＣＳＩＳ／ＯＯＢ処理部を通じて通信を実行する制御部とを含むことを特徴とするデジタルエンタテインメントシステム。
【請求項２】
前記システムバスに通信可能に接続され、前記制御部と外部機器との間の通信のためのインターフェースを提供する通信部をさらに含むことを特徴とする請求項１に記載のデジタルエンタテインメントシステム。
【請求項３】
前記通信部は、ＵＳＢ、ホームＰＮＡ、ＷＬＡＮ、ＩＥＥＥ１３９４とＲＳ―２３２Ｃインターフェースのうち、少なくともいずれかの一つを含むことを特徴とする請求項２に記載のデジタルエンタテインメントシステム。  
【請求項４】
データを保存する保存媒体をさらに含み、  
前記ＭＰＥＧ処理部は入力されるデータを前記保存媒体に保存し、前記保存媒体に保存されたデータを引出し前記所定の方式によってデコーディングして前記標準映像信号を生成することを特徴とする請求項１に記載のデジタルエンタテインメントシステム。
【請求項５】
前記保存媒体はハードディスクドライブであることを特徴とする請求項４に記載のデジタルエンタテインメントシステム。
【請求項６】
記録媒体にデータを記録および引出するＤＶＤ部をさらに含み、
前記ＭＰＥＧ処理部は、前記ＤＶＤ部で出力されるデータを前記所定の方式によってデコーディングして前記標準映像信号を生成することを特徴とする請求項１に記載のデジタルエンタテインメントシステム。
【請求項７】
前記記録媒体は、ＤＶＤ、ＶＣＤ、ＣＤと、ＣＤ−Ｒを含むことを特徴とする請求項６に記載のデジタルエンタテインメントシステム。
【請求項８】
前記標準映像信号は、Ｙ／Ｐｂ／Ｐｒ、Ｓ−ビデオ、コンポジットと、Ｓ／ＰＩＤ信号のうち、いずれかの一つであることを特徴とする請求項１に記載のデジタルエンタテインメントシステム。
【請求項９】
前記所定の方式はＭＰＥＧ−２方式であることを特徴とする請求項１に記載のデジタルエンタテインメントシステム。  
【請求項１０】
前記Ａ／Ｖ信号処理部は、前記外部放送信号から相違のチャンネルを選局して各々独立的に復調化する複数のアナログチューナと、デジタルチューナとを含むことを特徴とする請求項１に記載のデジタルエンタテインメントシステム。
【請求項１１】
前記ＭＰＥＧ処理部は、前記入力される信号を前記所定の方式によってデコーディングして前記標準映像信号を生成するＭＰＥＧディコーダーと、
前記Ａ／Ｖ信号処理部で出力されるスクランブリングされた信号をデスクランブリングして前記ＭＰＥＧディコーダーへ伝送するＭＣ部と、
前記ＭＰＥＧディコーダーの動作に必要なプログラムとデータが保存および引出されるメモリを含むことを特徴とする請求項１に記載のデジタルエンタテインメントシステム。
【請求項１２】
前記制御部は、プロセッサーと、
前記プロセッサーの動作に必要なプログラムとデータが保存および引出されるプロセッサーメモリと、
発信人表示サービスと係わったインターフェースを提供するＣＩＤ部とを含むことを特徴とする請求項１に記載のデジタルエンタテインメントシステム。  
【請求項１３】
前記プロセッサーはＬＡＮインターフェースを提供するＭＩＰＳアーキテクチャのプロセッサーであることを特徴とする請求項１２に記載のデジタルエンタテインメントシステム。  
【請求項１４】
前記システムバスは、ＰＣＩ（周辺コンポーネット相互接続）バスであることを特徴とする請求項１に記載のデジタルエンタテインメントシステム。  
【発明の詳細な説明】
【技術分野】
【０００１】
本発明はデジタルエンタテインメントシステムに関するもので、もっと詳しくは放送などのマルチメディアデータを受信し保存と再生ができ、多様な通信インターフェースを提供し、接続される外部機器とデータ交換と共有が可能なデジタルエンタテインメントシステムに関する。
【背景技術】
【０００２】
最近、家庭の情報環境は相互接続環境だと言える。即ち、独立形（スタンドアロン）製品とサービスがもう相互依存的な関係を形成しているということを意味する。家庭の内で接続したユーザー達は広帯域接続ができるようになって各種ハードウェアと装置をインターネットに結べるし、これによって革新的に接続性が高度化されている。これはすぐ各種コンテンツを活用できる基盤が造成されていることを意味する。即ち、各種アプリケーションの活用が家庭で独立的に使用されることを乗り越えて、他のユーザーと共有が可能になり、広帯域接続を通じてインターネットを通じるエンタテインメントを楽しめるようになり、各種サービスの利用が容易になったことを意味するのである。
【０００３】
このように家庭内にユーザーの情報環境が高度化されることによって、通信機器、コンピュータ、Ａ／Ｖ（オーディオ／ビデオ）機器などが複合的に合わせた統合製品の必要性が増大している。このような必要性によって、デジタルコンバージェンスを基盤にする統合製品のうちの一つにホームエンタテインメントシステムがある。ホームエンタテインメントシステムは基本的なセットトップボックスの機能が拡張されたもので、放送などのマルチメディアデータとホームビデオ、写真など家庭で制作されたマルチメディアデータを保存、管理、再生できるシステムを称する。したがって、ホームエンタテインメントシステムはホームマルチメディアサーバの範囲に属すると言える。
【０００４】
ところが、既存のホームエンタテインメントシステムは、家庭内の情報機器、Ａ／Ｖ機器、デジタル家電機器などとの統合的な接続性の提供には限界が存在する。また家庭内のいろいろな所に分散されている機器、特にＡ／Ｖ機器の間に保有しているマルチメディアデータを交したり共有するのにも制限的である。このような限界点を乗越えるためにはホームネットワーキングを基盤とするホームサーバなどが必要であるが、まだ家庭内で常用化されているとは言えない段階である。
【０００５】
これに対して、新しいデジタルディスプレイ装置、例えばホームシネマとして利用可能なフロントプロジェクタ、壁掛けテレビであるプラズマディスプレイ、リアプロジェクションテレビなどは既に既存のアナログテレビを代替しがら家庭内の補給が増えている状態である。したがって、このような新しいディスプレイ装置と連係され、既存のホームエンタテインメントシステムのＡ／Ｖ支援機能を拡張し、多様な外部機器との通信インターフェースを提供できるし、マルチメディアデータなどの交換とか共有が容易なデジタルコンバージェンス基盤のデジタルエンタテインメントシステムが必要になる。
【発明の開示】
【発明が解決しようとする課題】
【０００６】
従って、本発明の目的は、放送などのマルチメディアデータを受信して保存、交換、再生ができ、多様な外部機器との通信インターフェースを提供できるデジタルエンタテインメントシステムを提供することにある。
【課題を解決するための手段】
【０００７】
前記目的を達成するための本発明によるデジタルエンタテインメントシステムは、外部放送信号を受信してチャンネルの選局と復調化過程を経たデジタルデータを出力するＡ／Ｖ信号処理部、ＤＯＣＳＩＳ（データ  オーバー  ケーブル  サービス  インターフェース  スペシフィケーション）標準とＯＯＢ（アウト  オブ  バンド）サービス提供による通信インターフェースを提供するＤＯＣＳＩＳ／ＯＯＢ処理部、入力されるデータを所定の方式によってデコーディングして標準映像信号を生成し、生成された前記標準映像信号を外部に出力するＭＰＥＧ処理部、前記Ａ／Ｖ信号処理部、前記ＤＯＣＳＩＳ処理部と、前記ＭＰＥＧ処理部を通信可能に接続するシステムバスと前記システムバスに通信可能に接続されるし、前記Ａ／Ｖ信号処理部と前記ＭＰＥＧ処理部の動作を制御し、  前記ＤＯＣＳＩＳ／ＯＯＢ処理部を通じて通信を実行する制御部を含む。
【０００８】
好ましくは、前記システムバスに通信可能に接続されるし、前記制御部と外部機器との間の通信のためのインターフェースを提供する通信部をさらに含む。この場合、前記通信部は、ＵＳＢ（ユニバーサル  シリアル  バス）、ホームＰＮＡ、ＷＬＡＮ（無線ＬＡＮ）と、ＲＳ―２３２Ｃインターフェースのうち、少なくともいずれかの一つをさらに含み多様な外部機器との接続をできるようにする。  好ましくは、データを保存する保存媒体をもっと含み、前記ＭＰＥＧ処理部は入力されるデータを前記保存媒体に保存し、前記保存媒体に保存されたデータを引出し  前記所定の方式によってデコーディングして前記標準映像信号を生成することができる。この時、前記保存媒体でハードディスクドライブを使うことができる。また、記録媒体にデータを記録と引出するＤＶＤ部をさらに含み、前記ＭＰＥＧ処理部は、前記ＤＶＤ部で出力されるデータを前記所定の方式によってデコーディングして前記標準映像信号を生成するのもできる。前記記録媒体は、ＤＶＤ外にＶＣＤ、ＣＤとＣＤ−Ｒなど多様な記録媒体を含む。
【０００９】
前記ＭＰＥＧ処理部ではＹ／Ｐｂ／Ｐｒ、Ｓ−ビデオ、コンポジットとＳ／ＰＩＤ信号などのような多様な標準映像信号を生成でき、前記標準映像信号の生成にＭＰＥＧ−２デコーディング方式を使える。
【００１０】
前記Ａ／Ｖ信号処理部は、前記外部放送信号から相違のチャンネルを選局して各々独立的に復調化する複数のアナログチューナと、デジタルチューナを含むように構成して同時に相違の放送を視聴したり、一つの放送視聴の途中にほかの放送を記録媒体に保存することもできる。
【００１１】
前記ＭＰＥＧ処理部は、前記入力される信号を前記所定の方式によってデコーディングして前記標準映像信号を生成するＭＰＥＧディコーダー、前記Ａ／Ｖ信号処理部で出力されるスクランブリングされた信号をデスクランブリングして前記ＭＰＥＧディコーダーへ伝送するＭＣ部と、前記ＭＰＥＧディコーダーの動作に必要なプログラムとデータが保存と引出されるメモリを含む構成が可能である。
【００１２】
また、前記制御部は、プロセッサー、前記プロセッサーの動作に必要なプログラムとデータが保存と引出されるプロセッサーメモリと、発信人表示サービスと係わったインターフェースを提供するＣＩＤ部を含み構成できる。この時、前記プロセッサーはＬＡＮインターフェースを提供するＭＩＰＳアーキテクチャのプロセッサーを使える。
【００１３】
それから、前記システムバスではＰＣＩ（周辺コンポーネント相互接続）バスを使うのが可能である。
【発明の効果】
【００１４】
本発明によると、複数のチューナを具備し、同時にいくつかの放送を視聴したり、一つの放送を視聴しながらほかの放送を保存媒体に保存するのもでき、ハードディスクを保存媒体で使ってＰＶＲ機能を提供できる。また、ＤＶＤなどの多様な記録媒体に保存されたデータを再生と保存するのができ、ホームＰＮＡを通じて別途の線路工事なしに既存の電話配線を使って保存されたマルチメディアデータをクライアントと交換および共有できる。それから、多様な外部機器との通信インターフェースを提供して外部機器とのデータの交換および共有も可能である。
【発明を実施するための最良の形態】
【００１５】
以下では図面を参照して本発明を詳しく説明する。
【実施例１】
【００１６】
図１は本発明に係るデジタルエンタテインメントシステムの外形を図示した図面である。図１を参照すると、本デジタルエンタテインメントシステム１００は、全体的に既存のＤＶＤプレーヤーと似ている外形を持ち、前面に動作制御のための操作スイッチ１と、動作に係わった情報を示すディスプレイ３とが設けられる。デジタルエンタテインメントシステム１００の動作制御は操作スイッチ１外にリモコンとか接続される外部機器などを通じてもできる。図面には示されていないが、デジタルエンタテインメントシステム１００の後面にはテレビ、コンピュータなどの外部機器との接続のための接続端子が設けられる。
【００１７】
図２は本発明に係るデジタルエンタテインメントシステムの動作環境の一例を説明するための図面である。図２を参照すると、家庭内の居間に本発明によるデジタルエンタテインメントシステム１００が設けられる。デジタルエンタテインメントシステム１００には地域ケーブル放送業者が提供する地域ケーブル放送信号がＨＰＮＡフィルター１０と分離器（スプリッタ）２０とを通じて接続され、デジタルエンタテインメントシステム１００には居間テレビ２００が接続される。ＨＰＮＡフィルター１０は地域ケーブル放送業者によって設置され、地域ケーブル放送業者と契約された家庭だけに放送信号を供給するために使用され、分離器２０は信号の分配などのために使用される。
【００１８】
寝室にはクライアント−１（３００）が設置され、クライアント−１（３００）にはテレビ−１（３１０）が接続される。台所にはクライアント−２（４００）が設置され、クライアント−２（４００）にテレビ−２（４１０）が接続される。クライアント−１（３００）とクライアント−２（４００）にはデジタルエンタテインメントシステム１００で一部の機能が除外されたコストのより低い装備が使用されることができる。クライアント−１（３００）とクライアント−２（４００）は家庭内に埋設されている電話配線などのような伝送線路を通じてデジタルエンタテインメント１００に保存されたマルチメディアデータを共有するのが可能である。
【００１９】
図３は図２のデジタルエンタテインメントシステム１００が多様な外部機器と接続された状態の一例を図示した図面である。図３を参照すると、デジタルエンタテインメントシステム１００には居間テレビ２００外に、ＩＥＥＥ１３９４とかＵＳＢ（ユニバーサル  シリアル  バス）インターフェースを使ってＤＶＣ（デジタル  ビデオ  カメラ）２１０、ＤＳＣ（デジタル  スチル  カメラ）２２０、ＭＰ３２３０などの外部機器が接続可能で、ＵＳＢインターフェースを通じてプリンター２４０が接続されるのもできる。また、ＷＬＮＡ（無線ＬＡＮ）などの無線通信を通じてＰＣ２５０との通信も可能である。デジタルエンタテインメントシステム１００は分離器２０を通じてクライアント−１（３００）とクライアント４００にデータと制御信号を送受信するのもできる。
【００２０】
図４は本発明によるデジタルエンタテインメントシステムのブロック図である。図５を参照すると、デジタルエンタテインメントシステム１００は、ＲＦフロントエンド１０５、Ａ／Ｖ信号処理部１１０、ＭＰＥＧ処理部１３０、ＨＤＤ１４１、ＤＶＤ部１４３、制御部１５０、ＵＳＢ部１６０、ホームＰＮＡ部１６３、通信インターフェース部１６５と、ＤＯＣＳＩＳ／ＯＯＢ処理部１７０を具備して、システムバス１８０を通じてお互いに通信可能に接続される。
【００２１】
ＲＦフロントエンド１０５は分離器２０を通じて入力される放送信号をＡ／Ｖ信号処理部１１０とＤＯＣＳＩＳ／ＯＯＢ処理部１７０に分配し、ＤＯＣＳＩＳ／ＯＯＢ処理部１３０で出力される信号を外部へ伝送する。
【００２２】
Ａ／Ｖ信号処理部１１０は２個のデジタルチューナと２個のアナログチューナとを具備し、入力される放送信号の中でユーザーが望むチャンネルを選局し、選局されたチャンネルの信号を復調して生成されたデジタルデータを接続されたシステムバス１８０を通じて出力する。
【００２３】
ＭＰＥＧ処理部１３０はシステムバス１８０を通じて入力されるデータをＭＰＥＧ方式によってデコーディングし標準映像信号を生成する。また、ＭＰＥＧ処理部１３０システムバス１８０を通じて入力されるデータをＨＤＤ１４１に保存したり、ＨＤＤ１４１とかＤＶＤ部１４３からローディングしたデータをデコーディングして標準映像信号を生成する。ＭＰＥＧ処理部１３０で生成された標準映像信号は接続端子を通じて外部に出力される。
【００２４】
ＨＤＤ１４１はＭＰＥＧ処理部１３０によって圧縮されたデータが保存される保存媒体として使用される。マグネチックテープの代わりにＨＤＤ１４１を保存媒体として使ってＰＶＲ（パーソナル  ビデオ  レコーダー）機能を提供できる。ＰＶＲ機能は基本的に放送局で送出するプログラムを保存してから一定時間後に見るということとか、以外にも保存された放送プログラムの中で望む部分を探したりする編集が容易になり、最新放送スケジュールをいつでも伝送させられて予約録画に活用できる。いくつのプログラムを同時に録画するのもできるし、生放送を見る途中に瞬間的に停止させたり数秒〜数分前のシーンなどを反復再生もできる。これによって、放送サービス会社と連係してインタラクティブする放送視聴ができるようになる。
【００２５】
ＤＶＤ部１４３はＤＶＤなどのような記録媒体に記録されたデータを読み込む動作とその他一般的なＤＶＤプレーヤーの機能を実行する。ＤＶＤ部１４３はＤＶＤ外にＣＤ、ＶＣＤ、ＣＤ−Ｒなど多様な記録媒体に対してデータを記録および再生できる。
【００２６】
ＵＳＢ部１６０は直列ポートの一種として、プラグおよびプレー機能を持つＵＳＢインターフェースを提供する。一つのＵＳＢポートに１２７個の装備が連結できるし、スキャナー、ビデオ装備、プリンターのような高速の伝送が必要な装備からキーボード、ジョイスティック、マウスなど比較的低速の伝送も可能な装置まで多様な外部機器をつなげます。
【００２７】
ホームＰＮＡ部１６３はホームＰＮＡ（ホーム  ホーンライン  ネットワーク  アライアンス）インターフェースを提供する。ホームＰＮＡは既存の電話配線を利用して音声信号とは違う周波数帯でデータを伝送することができるようにする。既存の電話配線を利用することで別途のケーブルとかハーブの設置がなくても２個以上の装置の間に通信ができるようにするし、ハードディスクとプリンターのような装置をお互いに共有できるようにする。ホームＰＮＡ部１６３が提供するホームＰＮＡインターフェースを使って、デジタルエンタテインメントシステムとクライアントの間のデータ交換と共有ができる。
【００２８】
通信インターフェース部１６５はＷＬＡＮとかブルートゥースのような無線通信インターフェースとか、或いはＩＥＥＥ１３９４インターフェースなどを提供する。ＩＥＥＥ１３９４はＦｉｒｅ  Ｗｉｒｅとも言え、ＵＳＢポートと同様にプラグアンドプレー機能が支援されて一つのポートに５３個の他の装備を結ぶことができる。
【００２９】
ＤＯＣＳＩＳ／ＯＯＢ処理部１７０はＤＯＣＳＩＳ標準によるインターフェースと、ＯＯＢサービスのためのインターフェースを提供する。ＤＯＣＳＩＳ（データ  オーバー  ケーブル  サービス  インターフェース  スペシフィケーション）はＣＡＴＶ事業者業界団体であるＭＣＮＳ（マルチ  メディア  ケーブル  ネットワーク  システム  パートナーズ）が作成したケーブルモデムの標準規格を言う。  ＤＯＣＳＩＳで使う変造方式は上向・下向き回線が各々６４／２５６直交振幅変調（ＱＡＭ）と４位相偏移変調（ＱＰＳＫ）／１６ＱＡＭである。
【００３０】
システムバス１８０はＡ／Ｖ信号処理部１１０、ＭＰＥＧ処理部１３０、制御部１５０、ＵＳＢ部１６０、ホームＰＮＡ部１６３と、通信インターフェース部１６５を通信可能に接続させる。システムバス１８０ではＰＣＩバスが使用されるいる。それから、制御部１５０はデジタルエンタテインメントシステム１００全体の動作を制御し、応用プログラムを実行する。
【００３１】
図５はデジタルエンタテインメントシステム１００のより詳細なブロック図である。図５では図４で図示した部分と同じ部分に対しては同一の参照符号を付与して引用することにする。
【００３２】
ＡＶ信号処理部１１０はＤ／Ａチューナと複調−１（１１１）、ビデオディコーダー−１（１１２）、ＭＴＳ−１（１１３）、ＡＤＣ−１（１１４）、Ｄ／Ａチューナと複調−２（１１５）、ＡＶＳＷ−１（１１６）、ビデオディコーダー−２（１１７）、ＭＴＳ−２（１１８）、ＡＶＳＷ−２（１１９）、ＡＤＣ−２（１２０）、デュアルチャンネルインコーダー１２１、ＳＲＡＭ１２２と、ＭＵＸ１２３を含む。
【００３３】
Ｄ／Ａチューナと複調−１（１１１）はデジタルチューナとアナログチューナを具備し、入力される放送信号の中でユーザーが望むチャンネルを選局し、選局されたチャンネルの信号を復調化する。  Ｄ／Ａチューナと復調−１（１１１）内のアナログチューナを通じてＣＶＢＳ（カラー、ビデオ、バースト、シンク）とＳＩＦ信号が出力されるし、デジタルチューナを通じてＴＳストリームであるＴＳ１信号が出力される。ＴＳストリーム（トランスポート  ストリーム）はＭＰＥＧ−２で規定された多重化方法のうちで一つとして、雑音が多いチャンネルのような伝送誤謬とかデータの損失が起きることができる環境のために定義された多重化方法である。
【００３４】
ビデオディコーダー−１（１１２）はＤ／Ａチューナと複調−１（１１１）で出力されるコンポジットビデオ信号であるＣＶＢＳ信号の入力を受け、ビデオパケットに圧縮されて保存された順次的な画面の情報を解釈し、各々相違である解像度を持つテレビ画面にふさわしい大きさで合せてデュアルチャンネルインコーダー１２１へ伝送する。ビデオディコーダー−１（１１２）は静止画像機能も支援するし、これは主にインタラクティブテレビ広告に使用することができる。ＭＴＳ−１（マルチ  テレビジョン  システム−１）１１３はＤ／Ａチューナと複調−１（１１１）でＳＩＦ信号の入力を受けて音声多重信号を分離する。ＡＤＣ−１（１１４）はＭＴＳ−１（１１３）で出力されるアナログ信号をデジタル信号に変換してデュアルチャンネルインコーダー１２１へ伝送する。
【００３５】
Ｄ／Ａチューナと復調−２（１１５）、ビデオディコーダー−２（１１７）、ＭＴＳ−２（１１８）とＡＤＣ−２（１２０）の機能は各々Ｄ／Ａチューナと複調−１（１１１）、  ビデオディコーダー−１（１１２）、ＭＴＳ−１（１１３）と同一の機能を実行する。それから、ＡＶＳＷ−１とＡＶＳＷ−２（１１６，１１９）は後面に設置されたＡ／Ｖ接続端子を前面に設置されるＡ／Ｖ端子に変更したり、或いはその逆に変更するために使用される。このように、独立的に動作する複数のチューナを具備することで、同時に相違である放送を選局して視聴したり、一つの放送視聴中にほかの放送の内容を保存することが可能である。
【００３６】
デュアルチャンネルインコーダー１２１は入力される信号をインコーディングしてシステムバス１８０を通じてＭＰＥＧディコーダー１３１へ伝送する。ＳＲＡＭ１２２はデュアルチャンネルインコーダー１２１の動作に必要なデータが保存されたり引出される。
【００３７】
Ｄ／Ａチューナと複調−１（１１１）で出力されるＴＳ１と、Ｄ／Ａチューナと復調−２（１１５）で出力されるＴＳ２はＭＵＸ１２３へ伝送されるし、ＭＵＸ１２３はＴＳ１とＴＳ２のうち、いずれの一つの信号を選択的にＭＣ１３３へ伝送される。
【００３８】
ＭＰＥＧ信号処理部１３０はＭＰＥＧディコーダー１３１、ＭＣ１３３、フラッシュ−１（１３４）と、ＲＡＭ１３５を含む。ＭＰＥＧディコーダー１３１はシステムバス１８０を通じて入力される信号をＭＰＥＧ−２方式によるデコーディング過程を実行し、Ｙ／Ｐｂ／Ｐｒ、Ｓ−ビデオ、コンポジット、Ｓ／ＰＩＤなどのように多様な形式の標準映像信号を生成する。また、ＭＰＥＧディコーダー１３１は、システムバス１８０を通じて入力されるデータをＨＤＤ１４１に保存し、ＨＤＤ１４１に圧縮保存されたデータを伸びて標準映像信号を生成する。以外にも、ＭＰＥＧディコーダー１３１はＤＶＤ部１４３から読んだデータをデコーディングして標準映像信号を生成できる。ＭＰＥＧディコーダー１３１から生成された標準映像信号を接続端子を通じて外部に出力するし、接続端子を通じてつながったディスプレイ装置でディスプレイされる。それから、ＭＣ１３３は一つのデスクランブラとしてスクランブルされた信号をデスクランブリングしてＭＰＥＧディコーダー１３３へ伝送する。フラッシュ−１（１３４）とＲＡＭ１３５にはＭＰＥＧディコーダー１３１の動作に必要なプログラムとかデータが保存されたり引出される。
【００３９】
制御部１５０はＣＰＵ１５１、フラッシュ−２（１５２）、ＤＲＡＭ１５３と、ＣＩＤ（Ｃａｌｌｅｒ  ＩＤ）１５４を具備する。ＣＰＵ１５１はシステムバス１８０を通じて、イニシャライズ過程の実行と、応用プログラムを実行し、デジタルエンタテインメントシステム全般の動作を制御する。ＣＰＵ１５１にはＬＡＮインターフェースを提供する６４−ビットＭＩＰＳアーキテクチャのプロセッサーを使える。
【００４０】
フラッシュ−２（１５２）とＤＲＡＭ１５３にはＣＰＵ１５１の動作に必要なプロセッサーメモリとして使用される。フラッシュ−２（１５２）はブロック単位で消したり修正できるフラッシュメモリの特徴で利用して、ＯＳなどが保存されてアップグレードが必要なごとにネットワークを通じてダウンロードできる。
【００４１】
ＣＩＤ１５４は発信人の電話番号を通話開始前に受信人の電話機または表示端末機に示してくれる発信人表示サービスと関連されたインターフェースを提供する。ＣＩＤ１５４の出力はＲＪ１１ホンジャックにつながる。
【００４２】
ＤＯＣＳＩＳ／ＯＯＢ処理部１７０はＯＯＢチューナ１７１、ＱＡＭリンク１７２、ＤＯＣＳＩＳチューナ１７４とパワーアンプ（Ｐ／Ａ）１７３、１７４、１７６を含む。
【００４３】
ＤＯＣＳＩＳチューナ１７１は  ＤＯＣＳＩＳ規格によるインターフェースを提供する。ＯＯＢチューナ１７４はＯＯＢサービス提供者とのデータ伝送を容易にするためにインターフェースを提供するし、一連のインタラクティブサービスが出来るようにして、使う周波数帯域は１００〜３５０ＭＨｚである。ＱＡＭリンク１７２はＤＯＣＳＩＳチューナ１７１とＯＯＢチューナ１７４を通じて出力されるＱＡＭ（直交振幅変調）方式によって変調された信号に対したデータリンク制御を実行する。それから、パワーアンプ（Ｐ／Ａ）１７３、１７４、１７６は外部へ伝送される信号の増幅に使用される。
【００４４】
前記のような構成によって、Ａ／Ｖ信号処理部１１０を通じて、同時にいくつの放送信号を受信して再生したり、ＨＤＤ１４１に保存することができるし、保存データをホームＰＮＡインターフェースを使ってクライアントとか接続された外部機器と共有できる。また、  ＤＯＣＳＩＳ／ＯＯＢ処理部１７０を通じてインターネットとかＯＯＢサービスの利用が可能で、ＵＳＢ部１６０、ホームＰＮＡ部１６３と通信インターフェース部１６５などの通信部を通じて外部機器とのデータ交換と保存されたデータを共有できる。
【００４５】
一方、本発明の好適な実施の形態について添付の図面を参照して詳細に説明したが、以上の説明及び添付図面における多くの特定詳細は本発明のより全般的理解のために提供されるだけ、これら特定事項が本発明の範囲内で所定の変形や変更が可能であることは、当該技術分野で通常の知識を有する者には自明なことであろう。
【産業上の利用可能性】
【００４６】
本発明は放送などのマルチメディアデータを受信して保存し、多様な通信インターフェースを提供して、接続される外部機器とデータ交換と共有が可能なデジタルエンタテインメントシステムに関する。
【図面の簡単な説明】
【００４７】
【図１】本発明によるデジタルエンタテインメントシステムの外形を示した図面である。
【図２】本発明によるデジタルエンタテインメントシステムの動作環境の一例を示した図面である。
【図３】本発明によるデジタルエンタテインメントシステムと外部機器との接続状態を示した図面である。
【図４】本発明によるデジタルエンタテインメントシステムのブロック図である。
【図５】本発明によるデジタルエンタテインメントシステムの詳細ブロック図である。
【符号の説明】
【００４８】
１００：デジタルエンタテインメントシステム  
１０５：ＲＦフロントエンド
１１０：ＡＶ信号処理部
１３０：ＭＰＥＧ処理部
１４１：ＨＤＤ
１４３：ＤＶＤ部
１５０：制御部
１６０：ＵＳＢ部
１６３：ホームＰＮＡ部
１６５：通信インターフェース部
１７０：ＤＯＣＳＩＳ／ＯＯＢ処理部
１８０：システムバス
【図１】
2005057727.tif 000003
【図２】
2005057727.tif 000004
【図３】
2005057727.tif 000005
【図４】
2005057727.tif 000006
【図５】
2005057727.tif 000007